(57)【特許請求の範囲】
【請求項１】
画像形成する際の作像条件に応じて、画像形成の対象である入力画像データの各画素に対応したプロセスカラーの出力レベルを規制することにより、そのトナー総量を規制するプロセスカラー総量規制手段と、
前記入力画像データの各画素に対応した、光沢を得るための特色の濃度情報を割り当てた光沢制御版データを取得、または、光沢制御版データとして前記プロセスカラーに対する総量規制結果に応じてプロセスカラーと特色とで形成されるトナー面の高さを均一化するように、そのデータレベルを設定した特色信号を生成し、出力する特色信号生成手段と、
前記プロセスカラー総量規制手段および前記特色信号生成手段からの、プロセスカラーおよび特色の出力レベルの総和が、該プロセスカラーおよび特色に対する総量規制値より大きい場合に、プロセスカラーまたは特色の出力レベルを規制することにより、プロセスカラーおよび特色のトナー総量を規制する特色信号適応総量規制手段と、
を備え、
前記入力画像データに対応するプロセスカラーのトナー総量が、任意に設定された光沢度に対応する基準となるトナー総量を超えるものである場合、前記プロセスカラー総量規制手段によりプロセスカラーのトナー総量の規制を行い、
前記入力画像データに対応するプロセスカラーのトナー総量が、前記基準を満たさない場合、前記特色信号生成手段により、前記入力画像データに対応するプロセスカラーのトナー総量と前記基準との差分を、前記画像データに対応する特色のトナー量とすることにより、プロセスカラーと特色とで形成されるトナー面の高さを均一化するグロス処理を行う
ことを特徴とする画像処理装置。
【請求項２】
前記特色信号適応総量規制手段からの特色信号が示す光沢制御版データに対してテクスチャを付与するとともに、付与するテクスチャのクラスタサイズもしくは濃度の変更によるマット処理を行う出力階調補正手段を備え、
前記入力画像データに対応するプロセスカラーのトナー総量が、任意に設定された光沢度に対応する基準となるトナー総量を超える場合に、前記出力階調補正手段により、前記マット処理を行うことにより、光沢度を調整する
ことを特徴とする請求項１に記載の画像処理装置。
【請求項３】
入力画像データを構成する画素毎に色材の塗布量を決定する画像処理装置であって、
対象画素に対応する特色色材の塗布量を決定する決定手段を有し、
前記決定手段は、対象画素に対応するプロセスカラーの色材の総量が第１の基準値を満たさない場合、該対象画素に対して前記プロセスカラーの色材の総量と前記第１の基準値との差分に基づき、該対象画素に対する特色色材の塗布量を決定し、対象画素に対するプロセスカラーの色材の総量が前記第１の基準値以上且つ第２の基準値を満たさない場合、該対象画素に対して前記プロセスカラーの色材の総量と前記第２の基準値との差分に基づき、該対象画素に対する特色色材の塗布量を決定し、前記第２の基準値以上である場合、該対象画素に対して光沢度を下げる処理を施し、
前記第１の基準値と前記第２の基準値は、任意に設定された１つの光沢度に対応する値である、
ことを特徴とする画像処理装置。
【請求項４】
対象画素に対応する前記プロセスカラーの色材の総量が前記第２の基準値以上である場合、該対象画素に対応する特色色材に対してテクスチャを付与する階調補正部を有することを特徴とする請求項３に記載の画像処理装置。
【請求項５】
対象画素に対応する前記プロセスカラーの色材の総量および該対象画素に対応する前記特色色材の塗布量の総和が総量規制値より大きい場合に、前記プロセスカラーの色材の総量または前記特色色材の塗布量を規制する総量規制手段をさらに備えたことを特徴とする請求項４に記載の画像処理装置。
【請求項６】
請求項１乃至５のいずれか１項に記載の画像処理装置を備えた画像形成装置。
【請求項７】
プロセスカラー総量規制手段と特色信号生成手段と特色信号適応総量規制手段とを備える画像処理装置における画像処理方法であって、
前記プロセスカラー総量規制手段により、画像形成する際の作像条件に応じて、画像形成の対象である入力画像データの各画素に対応したプロセスカラーの出力レベルを規制することにより、そのトナー総量を規制し、
前記特色信号生成手段により、前記入力画像データの各画素に対応した、光沢を得るための特色の濃度情報を割り当てた光沢制御版データを取得、または、光沢制御版データとして前記プロセスカラーに対する総量規制結果に応じてプロセスカラーと特色とで形成されるトナー面の高さを均一化するように、そのデータレベルを設定した特色信号を生成し、出力し、
前記特色信号適応総量規制手段により、前記プロセスカラー総量規制手段および前記特色信号生成手段からの、プロセスカラーおよび特色の出力レベルの総和が、該プロセスカラーおよび特色に対する総量規制値より大きい場合に、プロセスカラーまたは特色の出力レベルを規制することにより、プロセスカラーおよび特色のトナー総量を規制し、
前記入力画像データに対応するプロセスカラーのトナー総量が、任意に設定された光沢度に対応する基準となるトナー総量を超えるものである場合、前記プロセスカラー総量規制手段によりプロセスカラーのトナー総量の規制を行い、
前記入力画像データに対応するプロセスカラーのトナー総量が、前記基準を満たさない場合、前記特色信号生成手段により、前記入力画像データに対応するプロセスカラーのトナー総量と前記基準との差分を、前記画像データに対応する特色のトナー量とすることにより、プロセスカラーと特色とで形成されるトナー面の高さを均一化するグロス処理を行う
ことを特徴とする画像処理方法。
【請求項８】
入力画像データを構成する画素毎に色材の塗布量を決定する画像処理装置における画像処理方法であって、
前記画像処理装置は、対象画素に対応する特色色材の塗布量を決定する決定手段を有するものであり、
前記決定手段により、
対象画素に対応するプロセスカラーの色材の総量が第１の基準値を満たさない場合、該対象画素に対して前記プロセスカラーの色材の総量と前記第１の基準値との差分に基づき、該対象画素に対する特色色材の塗布量を決定し、
対象画素に対するプロセスカラーの色材の総量が前記第１の基準値以上且つ第２の基準値を満たさない場合、該対象画素に対して前記プロセスカラーの色材の総量と前記第２の基準値との差分に基づき、該対象画素に対する特色色材の塗布量を決定し、
前記第２の基準値以上である場合、該対象画素に対して光沢度を下げる処理を施し、
前記第１の基準値と前記第２の基準値は、任意に設定された１つの光沢度に対応する値である、
ことを特徴とする画像処理方法。
【発明の詳細な説明】
【技術分野】
【０００１】
本発明は、画像処理装置、画像形成装置および画像処理方法に関する。
【背景技術】
【０００２】
現在では、カラー複写機によりカラー画像を出力する際、写真印画紙やコンピュータのディスプレイの色再現域に近い色再現性を得るために、出力されるカラー画像に光沢を持たせるようにすることが行われるようになってきている。
【０００３】
出力されるカラー画像に光沢を持たせる場合、画像上の光沢差、光沢むらをなくし、原画像に忠実で、違和感のない自然なカラー画像を形成できることが求められる。そのようなカラー画像を形成できるように、プロセスカラー（Ｙ、Ｍ、Ｃ、Ｋ）信号の供給を受けて、カラー画像が形成される領域の単位面積毎の色材（トナー）総量を求め、予め設定されている透明色材（クリアトナー）の重畳量を制御して、画像形成する技術が知られている（例えば、特許文献１）。
【発明の概要】
【発明が解決しようとする課題】
【０００４】
しかしながら、今までの透明色材版を含めた画像を形成する画像形成装置では、コート紙などの予め光沢を有する用紙にカラー画像を形成する場合や、使用する透明色材の種類や、画像出力モードに応じた定着温度等の画像形成条件が決まってしまうと、透明色材付与によるカラー画像出力に対する光沢制御の方向と範囲が決まってしまうため、光沢度を自由に調整して画像形成できないという問題があった。
【０００５】
本発明は、上記に鑑みてなされたものであって、記録紙の性質や使用する透明色材の種類や画像形成条件（画像出力モード）といった作像条件に制限されずに、画像内で光沢度を自由に調整して画像形成できるようにすることを目的とする。
【課題を解決するための手段】
【０００６】
上述した課題を解決し、目的を達成するために、本発明の画像処理装置は、画像形成する際の作像条件に応じて、画像形成の対象である入力画像データの各画素に対応したプロセスカラーの出力レベルを規制することにより、そのトナー総量を規制するプロセスカラー総量規制手段と、前記入力画像データの各画素に対応した、光沢を得るための特色の濃度情報を割り当てた光沢制御版データを取得、または、光沢制御版データとして前記プロセスカラーに対する総量規制結果に応じてプロセスカラーと特色とで形成されるトナー面の高さを均一化するように、そのデータレベルを設定した特色信号を生成し、出力する特色信号生成手段と、前記プロセスカラー総量規制手段および前記特色信号生成手段からの、プロセスカラーおよび特色の出力レベルの総和が、該プロセスカラーおよび特色に対する総量規制値より大きい場合に、プロセスカラーまたは特色の出力レベルを規制することにより、プロセスカラーおよび特色のトナー総量を規制する特色信号適応総量規制手段と、を備え、前記入力画像データに対応するプロセスカラーのトナー総量が、任意に設定された光沢度に対応する基準となるトナー総量を超えるものである場合、前記プロセスカラー総量規制手段によりプロセスカラーのトナー総量の規制を行い、前記入力画像データに対応するプロセスカラーのトナー総量が、前記基準を満たさない場合、前記特色信号生成手段により、前記入力画像データに対応するプロセスカラーのトナー総量と前記基準との差分を、前記画像データに対応する特色のトナー量とすることにより、プロセスカラーと特色とで形成されるトナー面の高さを均一化するグロス処理を行うことを特徴とする。
【０００７】
また、本発明は、プロセスカラー総量規制手段と特色信号生成手段と特色信号適応総量規制手段とを備える画像処理装置における画像処理方法であって、前記プロセスカラー総量規制手段により、画像形成する際の作像条件に応じて、画像形成の対象である入力画像データの各画素に対応したプロセスカラーの出力レベルを規制することにより、そのトナー総量を規制し、前記特色信号生成手段により、前記入力画像データの各画素に対応した、光沢を得るための特色の濃度情報を割り当てた光沢制御版データを取得、または、光沢制御版データとして前記プロセスカラーに対する総量規制結果に応じてプロセスカラーと特色とで形成されるトナー面の高さを均一化するように、そのデータレベルを設定した特色信号を生成し、出力し、前記特色信号適応総量規制手段により、前記プロセスカラー総量規制手段および前記特色信号生成手段からの、プロセスカラーおよび特色の出力レベルの総和が、該プロセスカラーおよび特色に対する総量規制値より大きい場合に、プロセスカラーまたは特色の出力レベルを規制することにより、プロセスカラーおよび特色のトナー総量を規制し、前記入力画像データに対応するプロセスカラーのトナー総量が、任意に設定された光沢度に対応する基準となるトナー総量を超えるものである場合、前記プロセスカラー総量規制手段によりプロセスカラーのトナー総量の規制を行い、前記入力画像データに対応するプロセスカラーのトナー総量が、前記基準を満たさない場合、前記特色信号生成手段により、前記入力画像データに対応するプロセスカラーのトナー総量と前記基準との差分を、前記画像データに対応する特色のトナー量とすることにより、プロセスカラーと特色とで形成されるトナー面の高さを均一化するグロス処理を行うことを特徴とする。
【発明の効果】
【０００８】
本発明によれば、記録紙の性質や使用する透明色材の種類や画像形成条件といった作像条件に制限されずに、画像内で光沢度を自由に調整して画像形成できるという効果を奏する。
【図面の簡単な説明】
【０００９】
【図１】図１は、一実施形態の画像形成装置の概略構成図である。
【図２】図２は、上記画像形成装置に備わる画像処理装置の全体構成図である。
【図３】図３は、上記画像処理装置の総量規制処理部の詳細なブロック構成を示す図である。
【図４】図４は、順引き付着量変換テーブルの一例を示す図である。
【図５】図５は、入力画像データを、対応するＣＭＹＫトナーの重なりとして模式的に示した図である。
【図６】図６は、通常のプロセスカラー用総量規制処理を説明する図である。
【図７】図７は、逆引き付着量変換テーブルの一例を示す図である。
【図８】図８は、特色（透明）を含む５色で形成するトナー面の高さを均一にするパイルハイト均一化処理による総量規制処理を説明する図である。
【図９】図９は、プロセスカラー（ＣＭＹＫ）のトナー総量とパイルハイト均一化処理による透明色材版（αoデータ）の関係を示す図である。
【図１０】図１０は、任意の作像条件におけるトナー総量と、図９のパイルハイト均一化処理による光沢度の関係を示す図である。
【図１１】図１１は、任意の作像条件におけるトナー総量と、設定された光沢度で均一に出力する場合の光沢度の関係を示す図である。
【図１２】図１２は、図１１に示したパイルハイト均一化処理とマット処理の概念図である。
【図１３】図１３は、クラスタサイズの変化に対するクリアトナー版の光沢特性を示す図である。
【図１４】図１４は、上記総量規制処理部における処理の流れの概要を説明するフローチャートである。
【図１５】図１５は、上記画像形成装置のハードウェア構成（電気的構成）を示す図である。
【発明を実施するための形態】
【００１０】
以下に添付図面を参照して、この発明にかかる画像形成装置の一実施の形態を詳細に説明する。
【００１１】
図１は、一実施形態の画像形成装置の概略構成図である。本実施形態の画像形成装置は、複数の像担持体の周面上にそれぞれイエロー（Ｙ）、マゼンタ（Ｍ）、シアン（Ｃ）、黒（Ｋ）、及び透明（Ｗ）の各トナー像を形成し、これを中間転写体上に重ね合わせて転写（１次転写）したのち転写材に再転写（２次転写）することにより画像を形成するカラー画像形成装置である。
【００１２】
像担持体である感光体ドラム１０、帯電器１１、露光光学系１２及び現像器１３とクリーニング装置２０とから構成されるイエロー（Ｙ）、マゼンタ（Ｍ）、シアン（Ｃ）、黒（Ｋ）および透明（Ｗ）の各画像形成ユニット５０Ｙ、５０Ｍ、５０Ｃ、５０Ｋ及び５０Ｗが、ベルト状の中間転写体である転写ベルト１４の回転方向上流側より配置されている。各画像形成ユニット５０において形成されたイエロー（Ｙ）、マゼンタ（Ｍ）、シアン（Ｃ）及び黒（Ｋ）の各トナー像が転写ベルト１４の周面上に順次重なるように転写（１次転写）されてカラートナー像とされる。そして、さらにその最上層には画像形成ユニット５０Ｗにより透明のクリアトナー像が重ねられた画像が形成される。
【００１３】
転写ベルト１４上に形成されたクリアトナー像とその下層のカラートナー像は、給紙カセット１５からタイミングローラ１６を介して給紙される記録紙Ｐの表面に、転写器１７のトナーとは逆極性をもった放電作用により一括して転写（２次転写）され、記録紙Ｐ上にはクリアトナー像を最下層とし、上層にカラートナー像を保持した状態で定着装置１８においてトナーを溶着したのち水平方向に転じて装置上部のトレイ１９に排出される。転写を終えた転写ベルト１４はクリーニング装置２１において残留トナーが除去され、清掃される。なお、イエロー（Ｙ）、マゼンタ（Ｍ）、シアン（Ｃ）、黒（Ｋ）および透明（Ｗ）の各画像形成ユニット５０Ｙ、５０Ｍ、５０Ｃ、５０Ｋ及び５０Ｗの配置（並び）は、図１に示したものに限るものではない。
【００１４】
図２は、上記画像形成装置に備わる画像処理装置の全体構成図である。本画像処理装置は、作像条件に対応した光沢度情報と任意に設定された光沢制御情報を参照して、必要なパラメータを生成し、パイルハイト均一化処理のようなグロス処理とテクスチャ付与によるマット処理を制御することで、従来のインバースマスク処理では実現できないプロセスカラー色材（ＣＭＹＫトナー版）と透明色材（クリアトナー）版の組み合わせを生成する。以下に各部の概略を説明する。
【００１５】
（入力補正部（１）、（２））
入力補正部（１）１１０および入力補正部（２）１１１は、以下の２値→多値変換部、論理反転部、ＲＧＢ→Ｇｒａｙ変換部、および分離信号生成部の各処理モジュール（図示せず）で構成される。
【００１６】
２値→多値変換部は、入力される１ｂｉｔ／ｐｉｘｅｌのデータを、８ｂｉｔ／ｐｉｘｅｌに変換して出力する。論理反転部は、ＲＧＢ＋Ｘ画像データに対し、画像論理の反転を行う（ここでは白を０、黒を２５５とする論理で動作するものとする）。ＲＧＢ→Ｇｒａｙ変換部は、ＲＧＢ＋Ｘ画像データに対し、チャネルの入れ替えによるグレイ化及びＲＧＢ展開を行う。分離信号生成部は、ＲＧＢ＋Ｘ画像データに対し、分離信号の内部生成を行う。なお、ＲＧＢ＋Ｘと称す画像形式は周知のＲＧＢ画像形式の画像情報に対し、各画素毎に付加情報ビットを付加した形式である。
【００１７】
（合成部）
合成部１２０は、ＲＧＢ（各8bit/pixel）＋Ｘ（2bit）からなる入力補正部（１）１１０および入力補正部（２）１１１からの２つの画像データ（原稿画像データと合成画像データ）の合成処理を行なう多値合成モジュールと、クリアトナー版をハンドリングするため、合成用の入力信号（ＲＧＢ＋Ｘ）を特色（透明）用信号（8bit×1ch）として出力する特色信号選択モジュールとで構成される。
【００１８】
（パターン発生部）
パターン発生部は、以下に示すパターン発生部（ＲＧＢ）１３０およびパターン発生部（ＣＭＹＫ）１３１の２種類のパターン発生部を有する。
【００１９】
パターン発生部（ＲＧＢ）１３０は、種々のテストパターン（8bit×3ch）をＲＧＢ画像データが流れているビデオパスに出力する。パターン発生部（ＣＭＹＫ）１３１は、種々のテストパターン（8bit×5ch）を、ＣＭＹＫＴ画像データ（Ｔは特色（透明））が流れているビデオパスに出力する。
【００２０】
（フィルタ部）
フィルタ部１４０は、入力されるＲＧＢ信号に対して、以下の画質向上処理を行う。
【００２１】
（１）入力されるＲＧＢ信号に対して所定の（または指定された）フィルタ処理を行う。
（２）色補正の色相判定用ＲＧＢデータを出力する。
（３）墨（Ｋ版）生成用のＧＣＲ特徴量データを出力する。
（４）入力されるＲＧＢ信号に対して孤立点除去処理を行う。
（５）入力されるＲＧＢ信号に対して細線化／太線化処理を行う。
【００２２】
（地肌補正部）
地肌補正部１５０は、画像信号の地肌レベルを動的に検出するとともに、検出した地肌レベルに基づいて画像信号を補正して地肌レベルを一定に保ち、原稿の地肌濃度のばらつきおよび読取りに起因するムラを排除する処理を行う。
【００２３】
（色補正部）
色補正部１６０は、以下の彩度調整部、色相分割マスキング色変換部、３ＤＬＵＴ色変換部、ＵＣＲ／ＵＣＡ処理部、および、アンダーカラー処理部の各処理モジュール（図示せず）で構成されており、入力される色相判定用ＲＧＢデータおよびＧＣＲ特徴量データを用いて、入力ＲＧＢ画像データに対して、下記のように色補正や色加工を実施する。
【００２４】
彩度調整部は、ＲＧＢ信号をＹｕｖ信号に変換後、再度ＲＧＢ信号に変換し出力する。色相分割マスキング色変換部は、入力ＲＧＢデータに対して、色相に応じたマスキング演算処理を行い、要求された色調整（色加工）を反映した統一ＲＧＢデータに変換する。３ＤＬＵＴ色変換部は、統一ＲＧＢデータに対して、３次元ＬＵＴを用いたメモリマップ補間演算を行い、指定された出力色空間に変換する。ＵＣＲ／ＵＣＡ処理部は、３ＤＬＵＴ色変換後のＣＭＹデータに対して墨処理（４色分解処理）を行い、ＣＭＹＫデータに変換する。アンダーカラー処理部は、色変換されたＣＭＹＫデータに対して、アンダーカラー処理を行う。
【００２５】
（変倍部）
変倍部１７０は、指定された拡大や縮小の要求に応じて、主走査変倍あるいは副走査変倍を実施する。
【００２６】
（総量規制部）
この総量規制部１８０は、本実施形態における主要部であり、その詳細は別途後述することとする。
【００２７】
（出力階調補正部）
出力階調補正部１９０は、以下のプリンタγ処理部、中間調処理部、二値化処理部、間引き処理部、凹凸補正部、および、クリアトナー用ディザ処理部の各処理モジュール（図示せず）で構成されており、画像処理装置の出力ビット数に適応した階調処理を行う。また、後述のマット処理にかかる処理も行う。
【００２８】
プリンタγ処理部は、所望の出力濃度になるように、入力データに対する画像形成装置の出力特性を補正する。中間調処理部は、擬似中間調処理を行う。二値化処理部は、γ変換後の入力階調値を、固定閾値を用いて２値化した画素値を出力する。間引き処理部は、２値化処理後のデータに対して、主走査方向の１／２間引き処理、および、副走査方向の１／２間引き処理を行う。凹凸補正部は、２値化処理後のデータに対して、凹凸補正を行う。クリアトナー用ディザ処理部は、クリアトナー用ディザ処理を行う。
【００２９】
（ＡＣＳ判定部）
ＡＣＳ判定部２００は、入力されたＲＧＢ画像データから、原稿がカラー原稿かモノクロ原稿かを判定する。
【００３０】
（白紙検知部）
白紙検知部２１０は、レジスタによって定められた領域について、２値化変換したデータ（連続性をカウント）と閾値を比較して、既定の全ての条件を満たした場合に白紙と判定する。
【００３１】
（出力制御部）
出力制御部２２０は、エンジン部への画像データ（ＣＭＹＫ＋α）の出力を制御する。
【００３２】
次に、光沢制御情報（光沢制御版データ）に応じた総量規制処理部の詳細なブロック構成を図３に示す。以下、その機能モジュール毎に詳細仕様（使用パラメータ、処理等）について説明する。なお、下記の各種パラメータは、ユーザーが設定した画像出力条件に応じて、所定のレジスタに設定される。
【００３３】
（順引き付着量変換部）
順引き付着量変換部１８１は、入力画像データを、トナーの付着量に換算された画像データに変換（順引き付着量変換）する機能モジュールである。以下に、本モジュールに入出力する信号および使用するパラメータを示す。また、図４に、順引き付着量変換テーブルの一例（横軸は入力、縦軸は出力）を示す。
【００３４】
（入出力および使用パラメータ）
＜入力＞
Ci：入力Ｃデータ信号（8bit）
Mi：入力Ｍデータ信号（8bit）
Yi：入力Ｙデータ信号（8bit）
Ki：入力Ｋデータ信号（8bit）
αi：入力αデータ信号（8bit）
Sep：分離信号（2bit）
【００３５】
＜出力＞
Co（Ct）：順引き付着量変換後の出力Ｃデータ信号（8bit）
Mo（Mt）：順引き付着量変換後の出力Ｍデータ信号（8bit）
To（Yt）：順引き付着量変換後の出力Ｙデータ信号（8bit）
Ko（Kt）：順引き付着量変換後の出力Ｋデータ信号（8bit）
αo（αt）：順引き付着量変換後の出力αデータ信号（8bit）
【００３６】
＜使用パラメータ＞
conv＿*＿text：文字用順引き付着量変換テーブル（*は、c,m,y,k,またはα）
conv＿*＿phot：絵柄用順引き付着量変換テーブル（*は、c,m,y,k,またはα）
conv＿luton：順引き付着量変換テーブル制御
【００３７】
（使用するパラメータの選択）
分離信号Sepに基づく５ｓｔ（ＣＭＹＫ＋α）用順引き付着量変換テーブルの選択（以下において、*：c,m,y,k,またはα）を以下のようにする。
【００３８】
（ａ）Sep=“文字”または“イメージ以外”の場合：Conv＿*=conv＿*＿text
（ｂ）Sep=“絵柄”または“イメージ”の場合：Conv＿*=conv＿*＿phot
【００３９】
なお、分離信号Sepは、入力補正部（１）１１０および入力補正部（２）１１１にて、入力画像に対し文字／絵柄／イメージ等に像域分離された結果を示す信号である。
【００４０】
（入力信号の付着量変換（順引き付着量換算））
順引き付着量変換テーブル制御（conv＿luton）がＯＮ（1）のとき、以下のように、入力されたCi,Mi,Yi,Ki,αiの各画像データを、分離信号Sepに基づく各色版に対応した順引き付着量変換ＬＵＴ（8bit）により、（トナーやインクの）付着量換算値Ct,Mt,Yt,Kt,αt（8bit）に変換する。
【００４１】
conv＿lutonがＯＮ（1）の場合：Ct=Conv＿c[Ci]、Mt=Conv＿m[Mi]、Yt=Conv＿y[Yi]、Kt=Conv＿k[Ki]、αt=Conv＿a[αi]
【００４２】
順引き付着量変換テーブル制御（conv＿luton）がＯＦＦ（0）のときは、以下のように、入力をそのまま出力する。
【００４３】
conv＿lutonがＯＦＦ（0）の場合：Ct=Ci、Mt=Mi、Yt=Yi、Kt=Ki、αt=αi
【００４４】
［プロセスカラー（ＣＭＹＫ）用総量規制部］
プロセスカラー用総量規制部１８２は、通常のプロセスカラー（４色：ＣＭＹＫ）用の総量規制処理を行う機能モジュールである。以下に、本モジュールに入出力する信号および使用するパラメータを示す。
【００４５】
（入出力および使用パラメータ）
＜入力＞
Ci（Ct）：付着量換算後の入力Ｃデータ信号（8bit）
Mi（Mt）：付着量換算後の入力Ｍデータ信号（8bit）
Yi（Yt）：付着量換算後の入力Ｙデータ信号（8bit）
Ki（Kt）：付着量換算後の入力Ｋデータ信号（8bit）
Sep：分離信号（2bit）
【００４６】
＜出力＞
Co（Cs）：プロセスカラー総量規制後の出力Ｃデータ信号（8bit）
Mo（Ms）：プロセスカラー総量規制後の出力Ｍデータ信号（8bit）
Yo（Ys）：プロセスカラー総量規制後の出力Ｙデータ信号（8bit）
Ko（Ks）：プロセスカラー総量規制後の出力Ｋデータ信号（8bit）
kisei＿h：総量規制判定結果（1bit）
【００４７】
＜使用パラメータ＞
max＿4st＿text：文字用プロセスカラー（ＣＭＹＫ）の総量規制値（最大付着量）
max＿4st＿phot：絵柄用プロセスカラー（ＣＭＹＫ）の総量規制値（最大付着量）
kisei＿4st＿enbl：プロセスカラー（ＣＭＹＫ）用総量規制イネーブル
【００４８】
（使用するパラメータの選択）
分離信号Sepに基づくプロセスカラー（ＣＭＹＫ）の総量規制値（最大付着量）を以下のように選択する。
【００４９】
(a)Sep=“文字”または“イメージ以外”の場合：MAX＿4st=max＿4st＿text
(b)Sep=“絵柄”または“イメージ”の場合：MAX＿4st=max＿4st＿phot
【００５０】
（総量規制処理（総量規制に伴うCMYKデータの変換））
総量規制処理がON（kisei＿4st＿enbl=1）の場合、前述の順引き付着量変換部１８１で付着量に換算された画像データ値（Ct,Mt,Yt,Kt）を用いてプロセスカラー（ＣＭＹＫ）の総量を規制する。例えば、図５は入力画像データを、対応するＣＭＹＫトナーの重なりとして模式的に示したものであるが、総量規制値MAX＿4st（図６の例では２５０％）とCt,Mt,Yt,Ktの総和（付着総量換算値）とを比較し、MAX＿4stよりも総和が多い場合にデータレベルの規制が実施される（図６参照）。なお、図６は、通常のプロセスカラー用総量規制処理を説明する図である。
【００５１】
ここで実施される総量規制は、黒（Ｋ）の再現レベルをできる限り保存（明度保存）するために、下記のように、MAX＿4stからKtを引いた値をＣＭＹに対する規制値として設定し、超えた分をＣＭＹの比に応じてイレースしたものとなる。下記のようにして算出される総量規制後のデータCs,Ms,Ys,Ksはそれぞれ8bitである。なお、除算では整数部のみ有効とし、小数部は切り捨てとする。
【００５２】
(a)Ct+Mt+Yt+Kt≦MAX＿4stの場合：
総量規制判定ＯＦＦ（kisei＿h=0）、
Cs=Ct、Ms=Mt、Ys=Yt、Ks=Kt
【００５３】
(b)Ct+Mt+Yt+Kt>MAX＿4stかつMAX＿4st<Ktの場合:
総量規制判定ＯＮ（kisei＿h=1）、
Cs=0、Ms=0、Ys=0、Ks=MAX＿4st
【００５４】
(c)Ct+Mt+Yt+Kt>MAX＿4stかつMAX＿4st≧Ktの場合：
総量規制判定ＯＮ（kisei＿h=1）、
Cs=（Ct*(MAX＿4st-Kt））/（Ct+Mt+Yt）、
Ms=（Mt*(MAX＿4st-Kt））/（Ct+Mt+Yt）、
Ys=（Yt*(MAX＿4st-Kt））/（Ct+Mt+Yt）、
Ks=Kt
ただし、Ct+Mt+Yt=0のときは、Cs=0、Ms=0、Ys=0、Ks=Ktとする。
【００５５】
このとき、MAX＿4st（10bit）は文字領域と絵柄領域で異なる総量規制値が適用され、文字領域であればmax＿4st＿text（10bit）、絵柄領域であればmax＿4st＿phot（10bit）を参照する。なお、総量規制判定結果（kisei＿h）は、後段の出力選択部１８６（全体セレクタ）に出力される。
【００５６】
また、総量規制処理がＯＦＦ（kisei＿4st＿enbl=0）の場合は、以下のようにスルー出力となる。
【００５７】
総量規制判定ＯＦＦ（kisei＿h=0）、
Cs=Ct、Ms=Mt、Ys=Yt、Ks=Kt
【００５８】
[特色信号生成部]
特色信号生成部１８３は、様々なユースケースに対応した自由度が高いクリアトナー（α）データレベルを設定するためのクリアトナー（α）信号生成モジュールである。以下に、本モジュールに入出力する信号および使用するパラメータを示す。
【００５９】
（入出力および使用パラメータ）
＜入力＞
Ci（Cs）：プロセスカラー総量規制後の入力Ｃデータ信号（8bit）
Mi（Ms）：プロセスカラー総量規制後の入力Ｍデータ信号（8bit）
Yi（Ys）：プロセスカラー総量規制後の入力Ｙデータ信号（8bit）
Ki（Ks）：プロセスカラー総量規制後の入力Ｋデータ信号（8bit）
αi（αt）：付着量換算後の入力αデータ信号（8bit）（光沢制御版データ）
Sep：分離信号（2bit）
【００６０】
＜出力＞
αs：クリアトナー信号生成後の出力αデータ信号（10bit）
【００６１】
＜使用パラメータ＞
target＿alpha＿text：文字用クリアトナー（α）データ目標付着量
target＿alpha＿phot：絵柄用クリアトナー（α）データ目標付着量
lut＿alpha＿text：文字用クリアトナー（α）データ生成テーブル
lut＿alpha＿phot：絵柄用クリアトナー（α）データ生成テーブル
max＿4st＿text：文字用プロセスカラー（ＣＭＹＫ）の総量規制値（最大付着量）
max＿4st＿phot：絵柄用プロセスカラー（ＣＭＹＫ）の総量規制値（最大付着量）
self＿gen＿enbl：クリアトナー（α）データ内部生成イネーブル
zero＿mask＿enbl：クリアトナー（α）ゼロ入力マスク処理イネーブル
【００６２】
（使用するパラメータの選択）
分離信号Sepに基づくクリアトナー（α）データ目標付着量の選択を以下のようにする。
【００６３】
（a）Sep=“文字”または“イメージ以外”の場合：Target＿alpha=target＿alpha＿text
（b）Sep=“絵柄”または“イメージ”の場合：Target＿alpha=target＿alpha＿phot
【００６４】
分離信号Sepに基づくクリアトナー（α）データ生成テーブルの選択を以下のようにする。
【００６５】
（a）Sep=“文字”または“イメージ以外”の場合：LUT＿alpha=lut＿alpha＿text
（b）Sep=“絵柄”または“イメージ”の場合：LUT＿alpha=lut＿alpha＿phot
【００６６】
分離信号Sepに基づくプロセスカラー（ＣＭＹＫ）の総量規制値（最大付着量）の選択を以下のようにする。
【００６７】
（a）Sep=“文字”または“イメージ以外”の場合：MAX＿4st=max＿4st＿text
（b）Sep=“絵柄”または“イメージ”の場合：MAX＿4st=max＿4st＿phot
【００６８】
（クリアトナー（α）データ生成テーブルに対する入力値の設定）
クリアトナー（α）データに対する内部生成イネーブル（self＿gen＿enbl）に応じて、クリアトナー（α）データ生成テーブルに入力するデータの設定値を変更する。
【００６９】
クリアトナー（α）データを内部生成するときは、下記のように、プロセスカラーの総和を４色用の総量規制値（MAX＿4st）で割った値をＬＵＴ入力（Lut＿in）とする。
【００７０】
内部生成ＯＮ（self＿gen＿enbl=1）の場合：sum＿CMYK=Ct+Mt+Yt+Kt、
Lut＿in=（sum＿CMYK<<8）/MAX＿4st  （ただし、Lut＿in>255のとき、Lut＿in=255とする。なお、“<<”はビットシフト演算子である。）
【００７１】
クリアトナー（α）データを内部生成しないときは、下記のように、当該モジュールに入力された付着量変換後のクリアトナー（α）データをＬＵＴ入力（Lut＿in）とする。
【００７２】
内部生成ＯＦＦ（self＿gen＿enbl=0）の場合：Lut＿in=αt
【００７３】
（クリアトナー（α）信号生成および単位軸の変換）
クリアトナー（α）データ生成テーブル（LUT＿alpha）を用いて、前述の特色（α）データ生成テーブルに対する入力値演算により設定したＬＵＴ入力（Lut＿in）に対するクリアトナー（α）データを求める。また、後段のクリアトナー信号に適応した総量規制モジュールで総量を算出する際、５ｓｔ（ＣＭＹＫ＋α）の信号レベルを合わせるため、クリアトナー（α）データレベルが最大（=255）のときにクリアトナー（α）データ目標付着量となるように単位軸の変換を行なう。
【００７４】
αtt=（LUT＿alpha[Lut＿in]×Target＿alpha）>>8
なお、上式において、αttは、LUT＿alpha[Lut＿in]=255のとき、Target＿alpha（目標付着量）に対し、255/256になっている。なお、“>>”はビットシフト演算子である。
【００７５】
（ゼロ入力マスク）
クリアトナー（α）ゼロ入力マスク処理イネーブルがＯＮ（zero＿mask＿enbl=1）の場合、モジュール入力されたαデータ（ゼロ入力）を参照して、内部生成したクリアトナー（α）データをマスクして出力する。
【００７６】
（a）ゼロ入力マスクＯＮ（zero＿mask＿enbl=1）かつゼロ入力（αt=0）の場合：αs=0
（b）ゼロ入力マスクＯＮ（zero＿mask＿enbl=1）かつゼロ入力以外（αt≠0）の場合：αs=αtt
（c）ゼロ入力マスクＯＦＦ（zero＿mask＿enbl=0）の場合：αs=αtt
【００７７】
［特色信号適応総量規制部］
特色信号適応総量規制部１８４は、様々なユースケースに対応した自由度が高い５ｓｔ（ＣＭＹＫ＋α）に適応する総量規制処理モジュールである。以下に、本モジュールに入出力する信号および使用するパラメータを示す。
【００７８】
（入出力および使用パラメータ）
＜入力＞
αi（αs）：クリアトナー信号生成後の入力αデータ信号（10bit）
Ci（Cs）：プロセスカラー総量規制後の入力Ｃデータ信号（8bit）
Mi（Ms）：プロセスカラー総量規制後の入力Ｍデータ信号（8bit）
Yi（Ys）：プロセスカラー総量規制後の入力Ｙデータ信号（8bit）
Ki（Ks）：プロセスカラー総量規制後の入力Ｋデータ信号（8bit）
Sep：分離信号（2bit）
【００７９】
＜出力＞
αo（αd）：特色信号適応総量規制後の出力αデータ信号（8bit）
Co（Cd）：特色信号適応総量規制後の出力Ｃデータ信号（8bit）
Mo（Md）：特色信号適応総量規制後の出力Ｍデータ信号（8bit）
Yo（Yd）：特色信号適応総量規制後の出力Ｙデータ信号（8bit）
Ko（Kd）：特色信号適応総量規制後の出力Ｋデータ信号（8bit）
【００８０】
＜使用パラメータ＞
max＿5st＿text：文字用５ｓｔ（ＣＭＹＫ＋α）に対する総量規制値
max＿5st＿phot：絵柄用５ｓｔ（ＣＭＹＫ＋α）に対する総量規制値
target＿alpha＿text：文字用クリアトナー（α）データ目標付着量
target＿alpha＿phot：絵柄用クリアトナー（α）データ目標付着量
sp＿ucr＿*＿text：文字用クリアトナーＵＣＲ係数（*は、c,m,y,またはk）
sp＿ucr＿*＿phot：絵柄用クリアトナーＵＣＲ係数（*は、c,m,y,またはk）
sp＿exc＿*＿text＿enbl：文字用クリアトナー対応イレース（*は、c,m,y,またはk）
sp＿exc＿*＿phot＿enbl：絵柄用クリアトナー対応イレース（*は、c,m,y,またはk）
kisei＿5st＿mode：５ｓｔ総量規制モード
kisei＿5st＿enbl：５ｓｔ（ＣＭＹＫ＋α）用総量規制イネーブル
【００８１】
（使用するパラメータの選択）
分離信号Sepに基づく５ｓｔ（ＣＭＹＫ＋α）の総量規制値（最大付着量）の選択を以下のようにする。
【００８２】
（a）Sep=“文字”または“イメージ以外”の場合：MAX＿5st=max＿5st＿text
（b）Sep=“絵柄”または“イメージ”の場合：MAX＿5st=max＿5st＿phot
【００８３】
分離信号Sepに基づくクリアトナー（α）データ目標付着量の選択を以下のようにする。
【００８４】
（a)Sep=“文字”または“イメージ以外”の場合：Target＿alpha=target＿alpha＿text
（b)Sep=“絵柄”または“イメージ”の場合：Target＿alpha=target＿alpha＿phot
【００８５】
分離信号Sepに基づくクリアトナーUCR係数の選択（下記にて、*は、c,m,y,またはk）を以下のようにする。
【００８６】
（a）Sep=“文字”または“イメージ以外”の場合：SP＿ucr＿*=sp＿ucr＿*＿text
（b）Sep=“絵柄”または“イメージ”の場合：SP＿ucr＿*=sp＿ucr＿*＿phot
【００８７】
分離信号Sepに基づくクリアトナー対応イレース（イネーブル）の選択（下記にて、*は、c,m,y,またはk）を以下のようにする。
【００８８】
（a）Sep=“文字”または“イメージ以外”の場合：SP＿exc＿*＿enbl=sp＿exc＿*＿text＿enbl
（b）Sep=“絵柄”または“イメージ”の場合：SP＿exc＿*＿enbl=sp＿exc＿*＿phot＿enbl
【００８９】
（特色信号適応総量規制）
総量規制処理がＯＮ（kisei＿5st＿enbl=1）の場合、プロセスカラー（ＣＭＹＫ）およびクリアトナー（α）の出力レベルの総和が、５ｓｔ（ＣＭＹＫ＋α）用の総量規制値（MAX＿5st）より大きい場合に総量規制を行なう。なお、ここでの総量規制は、５ｓｔ総量規制モード（kisei＿5st＿mode）の設定に応じて、データレベルを規制する版を変更でき、以下に示すように、αデータ規制モード（kisei＿5st＿mode=0）とプロセスカラー規制モード（kisei＿5st＿mode=1）の選択が可能となっている。
【００９０】
αデータ規制モード（kisei＿5st＿mode=0）のとき、
(a)Css+Mss+Yss+Kss+αs≦MAX＿5stの場合：
総量規制判定ＯＦＦ（kisei＿h=0）、
Cd=Css、Md=Mss、Yd=Yss、Kd=Kss、
αss=αs
【００９１】
(b)Css+Mss+Yss+Kss+αs>MAX＿5stの場合：
総量規制判定ＯＮ（kisei＿h=1）、
Cd=Css、Md=Mss、Yd=Yss、Kd=Kss  （ここで、プロセスカラーは規制しない）
αss=MAX＿5st-（Css+Mss+Yss+Kss）  （ただし、αss  <  0のとき、αss=0）
【００９２】
プロセスカラー規制モード（kisei＿5st＿mode=1）のとき、
MAX＿5st＿adap=MAX＿5st-αs  （ただし、MAX＿5st＿adap  <  0のとき、MAX＿5st＿adap=0）
αss=αs  //αデータは規制しない
【００９３】
(a)Css+Mss+Yss+Kss≦MAX＿5st＿adapの場合：
総量規制判定ＯＦＦ（kisei＿h=0）、
Cd=Css、Md=Mss、Yd=Yss、Kd=Kss 
【００９４】
(b)Css+Mss+Yss+Kss>MAX＿5st＿adapかつMAX＿5st＿adap<Kssの場合：
総量規制判定ＯＮ（kisei＿h=1）、
Cd=0、Md=0、Yd=0、Kd=MAX＿5st＿adap
【００９５】
(c)Css+Mss+Yss+Kss>MAX＿5st＿adapかつMAX＿5st＿adap≧Kssの場合：
総量規制判定ＯＮ（kisei＿h=1）、
Cd=（Css*（MAX＿5st＿adapt-Kss））/（Css+Mss+Yss）、
Md=（Mss*（MAX＿5st＿adapt-Kss））/（Css+Mss+Yss）、
Yd＝（Yss*（MAX＿5st＿adapt-Kss））/（Css+Mss+Yss）、
Kd=Kss
【００９６】
上記特色信号適応総量規制において、MAX＿5st（10bit）は文字領域と絵柄領域で異なる総量規制値が適用され、文字領域であればmax＿5st＿text（10bit）を、絵柄領域であればmax＿5st＿phot（10bit）を参照する。そして、総量規制判定結果（kisei＿h）が後段の出力信号選択部１８６に出力される。なお、総量規制処理がＯＦＦ（kisei＿4st＿enbl=0）の場合は、以下のようにスルー出力となる。
【００９７】
総量規制判定ＯＦＦ（kisei＿h=0）の場合：Cd=Css、Md=Mss、Yd=Yss、Kd=Kss
【００９８】
（単位軸の逆変換）
5st総量規制後のαデータ（αss）は、10bitに単位軸変換されているので（前述した特色（α）データ生成テーブルによる特色信号生成および単位軸変換処理を参照）、ここで、8bitの出力データになるように逆変換する。なお、以下の変換式における除算では整数部のみ有効とし、小数部は切り捨てとする。
【００９９】
αd=（αss<<8）/Target＿alpha
【０１００】
（逆引き付着量変換部）
逆引き付着量変換部１８５は、入力画像データを付着量に換算された画像データに変換する逆引き付着量変換機能モジュールである。以下に、本モジュールに入出力する信号および使用するパラメータを示す。なお、図７に、逆引き付着量変換テーブルの一例（横軸は入力、縦軸は出力）を示す。
【０１０１】
（入出力および使用パラメータ）
＜入力＞
Ci（Cd）：特色信号適応総量規制後の入力Ｃデータ信号（8bit）
Mi（Md）：特色信号適応総量規制後の入力Ｍデータ信号（8bit）
Yi（Yd）：特色信号適応総量規制後の入力Ｙデータ信号（8bit）
Ki（Kd）：特色信号適応総量規制後の入力Ｋデータ信号（8bit）
αi（αd）：特色信号適応総量規制後の入力αデータ信号（8bit）
Sep：分離信号（2bit）
【０１０２】
＜出力＞
Co（Cu）：逆引き付着量変換後の出力Ｃデータ信号（8bit）
Mo（Mu）：逆引き付着量変換後の出力Ｍデータ信号（8bit）
Yo（Yu）：逆引き付着量変換後の出力Ｙデータ信号（8bit）
Ko（Ku）：逆引き付着量変換後の出力Ｋデータ信号（8bit）
αo（αu）：逆引き付着量変換後の出力αデータ信号（8bit）
【０１０３】
＜使用パラメータ＞
inv＿*＿text：文字用逆引き付着量変換テーブル（*は、c,m,y,k,またはα）
inv＿*＿phot：絵柄用逆引き付着量変換テーブル（*は、c,m,y,k,またはα）
inv＿luton：逆引き付着量変換テーブル制御
【０１０４】
（機能モジュールで使用するパラメータの選択）
分離信号Sepに基づく５ｓｔ（ＣＭＹＫ＋α）用逆引き付着量変換テーブルの選択（ただし、*は、c,m,y,k,またはα）を、以下のようにする。
【０１０５】
（ａ）Sep="文字"または"イメージ以外"の場合：Inv＿*=inv＿*＿text
（ｂ）Sep="絵柄"または"イメージ"の場合：Inv＿*=inv＿*＿phot
【０１０６】
（出力信号への付着量逆変換（逆引きトナー量換算））
逆引き付着量変換テーブル制御（inv＿luton）がＯＮ（1）のとき、（トナーやインクの）付着量換算値で総量規制処理されたCd,Md,Yd,Kd,αdの各画像データは、分離信号Sepに基づく各色版に対応した逆引き付着量変換ＬＵＴ（8bit×8bit）により出力色制御信号Cu,Mu,Yu,Ku,αu（各8bit）に変換される。
【０１０７】
(a)inv＿lutonがＯＮ（1）の場合：
Cu=Inv＿c[Cd]、Mu=Inv＿m[Md]、Yu=Inv＿y[Yd]、Ku=Inv＿k[Kd]、αu=Inv＿a[αd]
(b)inv＿lutonがＯＦＦ（0）の場合：
Cu=Cd、Mu=Md、Yu=Yd、Ku=Kd、αu=αd
【０１０８】
［出力信号選択部（全体セレクタ）］
出力信号選択部１８６は、逆引き付着量変換部１８５からの入力画像データおよび総量規制部に入力された入力画像データ（付着量変換スルー）を選択的に切り換え出力する出力信号選択機能モジュールである。以下に、本モジュールに入出力する信号および使用するパラメータを示す。
【０１０９】
（入出力および使用パラメータ）
＜入力＞
Ci：総量規制部への入力Ｃデータ信号（8bit）
Mi：総量規制部への入力Ｍデータ信号（8bit）
Yi：総量規制部への入力Ｙデータ信号（8bit）
Ki：総量規制部への入力Ｋデータ信号（8bit）
αi：総量規制部への入力αデータ信号（8bit）
Cu：逆引き付着量変換後の入力Ｃデータ信号（8bit）
Mu：逆引き付着量変換後の入力Ｍデータ信号（8bit）
Yu：逆引き付着量変換後の入力Ｙデータ信号（8bit）
Ku：逆引き付着量変換後の入力Ｋデータ信号（8bit）
αu：逆引き付着量変換後の入力αデータ信号（8bit）
kisei＿h：総量規制判定結果（1bit）
【０１１０】
＜出力＞
Co：総量規制部から出力する出力Ｃデータ信号（8bit）
Mo：総量規制部から出力する出力Ｍデータ信号（8bit）
Yo：総量規制部から出力する出力Ｙデータ信号（8bit）
Ko：総量規制部から出力する出力Ｋデータ信号（8bit）
αo：総量規制部から出力する出力αデータ信号（8bit）
【０１１１】
＜使用パラメータ＞
kisei＿h＿enbl：総量規制判定イネーブル
kisei＿enbl：総量規制全体処理イネーブル
【０１１２】
（出力信号の選択）
総量規制判定イネーブルがＯＮ（kisei＿h＿enbl=1）で、かつ、プロセスカラー用総量規制部１８２と特色信号適応総量規制から出力される総量規制判定結果が共にＯＦＦ（kisei＿h=0）である場合は、総量規制部への入力信号（Ci,Mi,Yi,Ki,αi）をそのまま出力し、それ以外の場合は、逆引き付着量変換後の総量規制結果（Cu,Mu,Yu,Ku,αu）を出力する。
【０１１３】
また、総量規制全体処理イネーブルがＯＦＦ（kisei＿enbl=0）の場合については、以下に示すように、無条件で総量規制部への入力信号（Ci,Mi,Yi,Ki,αi）をそのまま出力する。
【０１１４】
（a）kisei＿enblがＯＮ（1）の場合：Co=Cu、Mo=Mu、Yo=Yu、Ko=Ku、αo=αu
（b）kisei＿enblがＯＦＦ（0）の場合：Co=Ci、Mo=Mi、Yo=Yi、Ko=Ki、αo=αi
【０１１５】
本実施形態では、以上説明した各処理モジュールを使用して、α（特色（透明））を含む５色で形成するトナー面の総量規制を、図１４に示すように、プロセスカラー総量規制（ステップＳ１０１）、特色信号生成（ステップＳ１０２）、特色信号適応総量規制（ステップＳ１０３）、および出力階調補正（ステップＳ１０４）を順次行うことにより、実施する。
【０１１６】
［パイルハイト均一化処理］
上記各処理モジュールを使用して、図８の模式図に示すようなクリアトナーを含む５色で形成するトナー面の高さを均一にする総量規制処理を実現する場合、前述のクリアトナー（α）データ生成テーブルに、図９に示すようなプロセストナー（ＣＭＹＫ）の総和と総量規制値との差分に応じたαデータレベルを設定する。
【０１１７】
ここで、self＿gen＿enbl（クリアトナー（α）データ内部生成イネーブル）は、内部生成ＯＮ（設定：1）にし、zero＿mask＿enbl（クリアトナー（α）ゼロ入力マスク処理イネーブル）は、ゼロマスクの有無に応じて独立に設定する。
【０１１８】
図１０は任意の作像条件におけるトナー総量と光沢度の関係を示したもので、この例では、設定された（目標）光沢度に対応したトナー総量２５０％を基準にして、２５０％以上の入力画像データに対しては、プロセスカラー総量規制部により前述のプロセスカラー（ＣＭＹＫ）に対する総量規制を適用し、２５０％に満たない入力画像データ（ＣＭＹＫ）に対しては、特色信号生成部１８３により、この総量値（Ｃ＋Ｍ＋Ｙ＋Ｋ）と２５０％との差分をαデータレベルとしてクリアトナー版を設定することで、図８の模式図に示すようなα（特色）を含む５色で形成するトナー面の高さを均一にして、目標とする光沢度均一の画像を形成する。
【０１１９】
［クリアトナー版のテクスチャ付与によるマット処理］
画像形成でトナーの高さを均一にすることで光沢度を上げる一方、あるトナー総量レベル以上では均一面に対して、図２の出力階調補正部１９０においてテクスチャを付与することで光沢度を下げるマット処理を行う。
【０１２０】
図１３はクラスタサイズ毎のクリアトナー濃度に対する光沢度変化を示したもので、例えば、クラスタサイズを大きくして（単位面積当り）５０％の濃度でクリアトナーを形成すると、５０％光沢度が下がることを示している。
【０１２１】
図１１は任意の作像条件におけるトナー総量と光沢度の関係を示したもので、この例では、設定された（目標）光沢度に対応したトナー総量８０％と１５０％を基準にして、特色信号生成部１８３により、８０％に満たない入力画像データ（ＣＭＹＫ）に対しては、総量値（Ｃ＋Ｍ＋Ｙ＋Ｋ）と８０％との差分をαデータレベルとしてクリアトナー版を設定（パイルハイト均一化処理Ｉ）し、８０％〜１５０％の入力画像データ（ＣＭＹＫ）に対しては、総量値（Ｃ＋Ｍ＋Ｙ＋Ｋ）と１５０％との差分をαデータレベルとしてクリアトナー版を設定（パイルハイト均一化処理II）する。
【０１２２】
ここで、プロセスカラー（ＣＭＹＫ）のトナーの総量規制を適用しないのは、なるべく形成する画像の色再現を保持するためであるが、この例において入力画像データ（ＣＭＹＫ）が１５０％以上となると、クリアトナー版の形成によるパイルハイト処理では、設定された（目標）光沢度が達成できなくなり、また、総量値１５０％でプロセスカラー（ＣＭＹＫ）のトナーの総量規制を実施すると、形成する画像の色再現が大きく変わってしまうため、入力画像データ（ＣＭＹＫ）が１５０％以上では、特色信号適応総量規制部１８４による前述の処理後、出力階調補正部１９０が、クリアトナー版のテクスチャ付与によるマット処理を実施する。
【０１２３】
ここで、設定された（目標）光沢度をX％、総量値１５０％以上の入力画像データ（ＣＭＹＫ）のトナー総量に対する光沢度をY％、図１３における最大クラスタサイズを選択した場合の濃度値をZ％とし、光沢度変化率Kに次式の関係があったとする。
【０１２４】
K=-Z  （ただし、0<Z<50）
【０１２５】
上式の関係がある場合、光沢度変化率と総量値１５０％以上の入力画像データ（ＣＭＹＫ）の総量に対する光沢度の積（Y×K/100）が、設定された（目標）光沢度と総量値１５０％以上の入力画像データ（ＣＭＹＫ）の総量に対する光沢度との差に等しくなればよいので、Zは、次式で表わされる。
【０１２６】
Z=（1-X/Y）×100（%）
【０１２７】
以上のトナー総量値に応じたクリアトナー版生成を含む総量規制処理の概念図を図１２に示す。このように、設定された作像条件でのトナー総量に対する光沢度情報を参照して、設定された光沢度となるトナー総量を探索し、トナー量が不足した場合はクリアトナー版によりクリアトナーを付与する。
【０１２８】
ここで、既にプロセスカラー（ＣＭＹＫ）の総量が設定された光沢度となるトナー総量を超えている場合は、図１３のようなテクスチャ付与による光沢度変化特性を参照して、光沢度を最も下げる領域の光沢度変化率から適合するクラスタサイズを選択して、光沢度の下げ幅に応じた濃度値を前述のように算出してテクスチャの付与を実施する。
【０１２９】
また、前述した光沢度情報を参照して、クリアトナー付与による光沢度制御を実施しても、設定された光沢度を有する画像が形成できない場合は、操作部を介した提示（表示または音声）により作像条件の変更を促し、作像条件あるいは光沢度の変更がされない場合は、目標とする光沢度に最も近い光沢度となるクリアトナー付与条件において画像形成を行うようにする。
【０１３０】
図１５は、本実施形態の画像形成装置のハードウェア構成（電気的構成）を示すブロック図である。同図に示すように、この画像形成装置は、コントローラ３１０とエンジン部（Engine）３６０とをＰＣＩ（Peripheral  Component  Interface）バスで接続した構成となる。コントローラ３１０は、装置全体の制御と描画、通信、図示しない操作部からの入力を制御するコントローラである。エンジン部３６０は、ＰＣＩバスに接続可能なプリンタエンジンなどである。なお、このエンジン部３６０には、プロッタなどのいわゆるエンジン部分に加えて、誤差拡散やガンマ変換などの画像処理部分が含まれる。
【０１３１】
コントローラ３１０は、ＣＰＵ３１１と、ノースブリッジ（NB）３１３と、システムメモリ（MEM-P）３１２と、サウスブリッジ（SB）３１４と、ローカルメモリ（MEM-C）３１７と、ＡＳＩＣ（Application  Specific  Integrated  Circuit）３１６と、ハードディスクドライブ（HDD）３１８とを有し、ノースブリッジ（NB）３１３とＡＳＩＣ３１６との間をＡＧＰ（Accelerated  Graphics  Port）バス３１５で接続した構成となる。また、ＭＥＭ−Ｐ３１２は、ＲＯＭ（Read  Only  Memory）３１２ａと、ＲＡＭ（Random  Access  Memory)３１２ｂと、をさらに有する。
【０１３２】
ＣＰＵ３１１は、本装置全体制御をおこなうものであり、ＮＢ３１３、ＭＥＭ−Ｐ３１２およびＳＢ３１４からなるチップセットを有し、このチップセットを介して他の機器と接続される。
【０１３３】
ＮＢ３１３は、ＣＰＵ３１１とＭＥＭ−Ｐ３１２、ＳＢ３１４、ＡＧＰ３１５とを接続するためのブリッジであり、ＭＥＭ−Ｐ３１２に対する読み書きなどを制御するメモリコントローラと、ＰＣＩマスタおよびＡＧＰターゲットとを有する。
【０１３４】
ＭＥＭ−Ｐ３１２は、プログラムやデータの格納用メモリ、プログラムやデータの展開用メモリ、プリンタの描画用メモリなどとして用いるシステムメモリであり、ＲＯＭ３１２ａとＲＡＭ３１２ｂとからなる。ＲＯＭ３１２ａは、プログラムやデータの格納用メモリとして用いる読み出し専用のメモリであり、ＲＡＭ３１２ｂは、プログラムやデータの展開用メモリ、プリンタの描画用メモリなどとして用いる書き込みおよび読み出し可能なメモリである。
【０１３５】
ＳＢ３１４は、ＮＢ３１３とＰＣＩデバイス、周辺デバイスとを接続するためのブリッジである。このＳＢ３１４は、ＰＣＩバスを介してＮＢ３１３と接続されており、このＰＣＩバスには、ネットワークインターフェース（I/F）部なども接続される。
【０１３６】
ＡＳＩＣ３１６は、画像処理用のハードウェア要素を有する画像処理用途向けのＩＣ（Integrated  Circuit）であり、ＡＧＰ３１５、ＰＣＩバス、ＨＤＤ３１８およびＭＥＭ−Ｃ３１７をそれぞれ接続するブリッジの役割を有する。このＡＳＩＣ３１６は、ＰＣＩターゲットおよびＡＧＰマスタと、ＡＳＩＣ３１６の中核をなすアービタ（ＡＲＢ）と、ＭＥＭ−Ｃ３１７を制御するメモリコントローラと、ハードウェアロジックなどにより画像データの回転などをおこなう複数のＤＭＡＣ（Direct  Memory  Access  Controller）と、エンジン部３６０との間でＰＣＩバスを介したデータ転送をおこなうＰＣＩユニットとからなる。このＡＳＩＣ３１６には、ＰＣＩバスを介してＦＣＵ（Facsimile  Control  Unit）３０、ＵＳＢ（Universal  Serial  Bus）４０、ＩＥＥＥ１３９４（the  Institute  of  Electrical  and  Electronics  Engineers  1394）インターフェース３５０が接続される。操作表示部３２０はＡＳＩＣ３１６に直接接続されている。
【０１３７】
ＭＥＭ−Ｃ３１７は、コピー用画像バッファ、符号バッファとして用いるローカルメモリであり、ＨＤＤ（Hard  Disk  Drive）３１８は、画像データの蓄積、プログラムの蓄積、フォントデータの蓄積、フォームの蓄積を行うためのストレージである。
【０１３８】
ＡＧＰ３１５は、グラフィック処理を高速化するために提案されたグラフィックスアクセラレーターカード用のバスインターフェースであり、ＭＥＭ−Ｐ３１２に高スループットで直接アクセスすることにより、グラフィックスアクセラレーターカードを高速にするものである。
【０１３９】
なお、上記実施形態における画像形成装置の構成は、プリンタ機能のみをもつ印刷装置のほか、コピー機能、プリンタ機能、スキャナ機能およびファクシミリ機能のうち少なくとも２つの機能を有する複合機に適用することができる。
【符号の説明】
【０１４０】
１８０  総量規制部
１８１  順引き付着量変換部
１８２  プロセスカラー用総量規制部
１８３  特色信号生成部
１８４  特色信号適応総量規制部
１８５  逆引き付着量変換部
１８６  出力信号選択部
１９０  出力階調補正部
【先行技術文献】
【特許文献】
【０１４１】
【特許文献１】特開平１０−０５５０８９号公報
【図１】
0005915224.tif 000002
【図２】
0005915224.tif 000003
【図３】
0005915224.tif 000004
【図４】
0005915224.tif 000005
【図５】
0005915224.tif 000006
【図６】
0005915224.tif 000007
【図７】
0005915224.tif 000008
【図８】
0005915224.tif 000009
【図９】
0005915224.tif 000010
【図１０】
0005915224.tif 000011
【図１１】
0005915224.tif 000012
【図１２】
0005915224.tif 000013
【図１３】
0005915224.tif 000014
【図１４】
0005915224.tif 000015
【図１５】
0005915224.tif 000016